【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
図柄変動ゲームの変動内容を定めた演出パターンに基づいて図柄変動ゲームが行われる遊技機において、
大当り抽選を行う抽選手段と、
前記大当り抽選に当選した場合に大当りの種類を特定する特定手段と、
前記特定手段によって特定された前記大当りの種類を特定可能な特定情報に基づき、前記演出パターンを選択する演出パターン選択手段と、を備え、
前記演出パターン選択手段は、前記特定情報に基づいて、演出パターンを選択するための演出パターン振分テーブルを特定し、その特定した演出パターン振分テーブルにおいて同一系統の演出内容を特定する演出パターンが１又は複数対応付けられた演出パターン群を決定し、その決定した演出パターン群から演出パターンを選択するようになっており、
同一の大当りを特定する特定情報が複数設定されているとともに、当該特定情報には、少なくとも一部の演出パターンの選択率が異なる演出パターン振分テーブルがそれぞれ対応付けられているとともに、
同一の大当りを特定する複数の特定情報に対応付けられた各演出パターン振分テーブルにおいて、異なる演出パターン群を含むことを特徴とする遊技機。
【請求項２】
同一の大当りを特定する複数の特定情報に対応付けられた各演出パターン振分テーブルにおいて、同一の演出パターン群が対応付けられる一方、同一の演出パターン群であっても、演出パターン振分テーブル毎に異なる演出パターンが区分けされていることを特徴とする請求項１に記載の遊技機。
【請求項３】
前記特定手段によって特定される大当りの種類には、通常大当りと該通常大当りよりも遊技者に付与される特典の有利度が大きい特定大当りと、を含み、
前記特定大当りを特定する特定情報に対応付けられた演出パターン振分テーブルと前記通常大当りを特定する一部の特定情報に対応付けられた演出パターン振分テーブルでは、特定演出パターン群を決定可能である一方、前記通常大当りを特定するその他の特定情報に対応付けられた演出パターン振分テーブルでは、前記特定演出パターン群が決定不可能であることを特徴とする請求項１又は請求項２に記載の遊技機。
【請求項４】
図柄変動ゲームの始動条件を付与する始動検知手段と、
前記始動条件の成立時に乱数を取得する乱数取得手段と、
前記始動検知手段によって遊技球が検知されたことを契機に、図柄変動ゲームの実行の保留を示す始動保留情報を上限数まで記憶する保留記憶手段と、
前記大当り抽選が実行されるよりも前に、前記乱数取得手段で取得された乱数の値が大当りとする値と一致するか否かを判定する判定手段と、
前記判定手段の判定結果が肯定の場合に、前記乱数取得手段で取得された乱数の値に基づいて大当りの種類を示す値を特定する大当り特定手段と、
前記大当り抽選が実行されるよりも前に、前記乱数取得手段で取得された乱数の値に基づき、各演出パターン振分テーブルにおいて同一系統の演出内容を特定する演出パターンが１又は複数対応付けられた演出パターン群を示す値を特定する演出パターン群特定手段と、
複数回の図柄変動ゲームに亘って大当りとなる可能性を報知する予告演出を実行させる予告演出制御手段と、を備え、
前記演出パターン群特定手段は、前記大当り特定手段によって特定された値に基づいて前記演出パターン振分テーブルを特定し、該演出パターン振分テーブルの中から前記演出パターン群を示す値を特定し、
前記予告演出制御手段は、取得された乱数の値が予め定めた演出パターン群を示す値と一致すると判定された場合に、事前判定された始動保留情報よりも前の始動保留情報に基づく図柄変動ゲームから、特定された演出パターン群に応じた予告演出を実行させることを特徴とする請求項１〜請求項３のうちいずれか一項に記載の遊技機。
【手続補正２】
【補正対象書類名】明細書
【補正対象項目名】０００７
【補正方法】変更
【補正の内容】
【０００７】
上記問題点を解決する遊技機は、図柄変動ゲームの変動内容を定めた演出パターンに基づいて図柄変動ゲームが行われる遊技機において、大当り抽選を行う抽選手段と、前記大当り抽選に当選した場合に大当りの種類を特定する特定手段と、前記特定手段によって特定された前記大当りの種類を特定可能な特定情報に基づき、前記演出パターンを選択する演出パターン選択手段と、を備え、前記演出パターン選択手段は、前記特定情報に基づいて、演出パターンを選択するための演出パターン振分テーブルを特定し、その特定した演出パターン振分テーブルにおいて同一系統の演出内容を特定する演出パターンが１又は複数対応付けられた演出パターン群を決定し、その決定した演出パターン群から演出パターンを選択するようになっており、同一の大当りを特定する特定情報が複数設定されているとともに、当該特定情報には、少なくとも一部の演出パターンの選択率が異なる演出パターン振分テーブルがそれぞれ対応付けられているとともに、同一の大当りを特定する複数の特定情報に対応付けられた各演出パターン振分テーブルにおいて、異なる演出パターン群を含むことを要旨とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
上記遊技機について、同一の大当りを特定する複数の特定情報に対応付けられた各演出パターン振分テーブルにおいて、同一の演出パターン群が対応付けられる一方、同一の演出パターン群であっても、演出パターン振分テーブル毎に異なる演出パターンが区分けされていることが好ましい。
【手続補正５】
【補正対象書類名】明細書
【補正対象項目名】００１０
【補正方法】変更
【補正の内容】
【００１０】
上記遊技機について、前記特定手段によって特定される大当りの種類には、通常大当りと該通常大当りよりも遊技者に付与される特典の有利度が大きい特定大当りと、を含み、前記特定大当りを特定する特定情報に対応付けられた演出パターン振分テーブルと前記通常大当りを特定する一部の特定情報に対応付けられた演出パターン振分テーブルでは、特定演出パターン群を決定可能である一方、前記通常大当りを特定するその他の特定情報に対応付けられた演出パターン振分テーブルでは、前記特定演出パターン群が決定不可能であることが好ましい。
【手続補正６】
【補正対象書類名】明細書
【補正対象項目名】００１１
【補正方法】変更
【補正の内容】
【００１１】
上記遊技機について、図柄変動ゲームの始動条件を付与する始動検知手段と、前記始動条件の成立時に乱数を取得する乱数取得手段と、前記始動検知手段によって遊技球が検知されたことを契機に、図柄変動ゲームの実行の保留を示す始動保留情報を上限数まで記憶する保留記憶手段と、前記大当り抽選が実行されるよりも前に、前記乱数取得手段で取得された乱数の値が大当りとする値と一致するか否かを判定する判定手段と、前記判定手段の判定結果が肯定の場合に、前記乱数取得手段で取得された乱数の値に基づいて大当りの種類を示す値を特定する大当り特定手段と、前記大当り抽選が実行されるよりも前に、前記乱数取得手段で取得された乱数の値に基づき、各演出パターン振分テーブルにおいて同一系統の演出内容を特定する演出パターンが１又は複数対応付けられた演出パターン群を示す値を特定する演出パターン群特定手段と、複数回の図柄変動ゲームに亘って大当りとなる可能性を報知する予告演出を実行させる予告演出制御手段と、を備え、前記演出パターン群特定手段は、前記大当り特定手段によって特定された値に基づいて前記演出パターン振分テーブルを特定し、該演出パターン振分テーブルの中から前記演出パターン群を示す値を特定し、前記予告演出制御手段は、取得された乱数の値が予め定めた演出パターン群を示す値と一致すると判定された場合に、事前判定された始動保留情報よりも前の始動保留情報に基づく図柄変動ゲームから、特定された演出パターン群に応じた予告演出を実行させることが好ましい。